(57)【要約】【課題】配光画角の調整をより適切に行うことができる閃光装置及びそれを備えたカメラを提供する。【解決手段】本発明の電子閃光装置（１０）は、撮影レンズ（４０）の焦点距離と、撮影面上での撮影範囲とに対応して、配光画角が決定される電子閃光装置（１０）であって、一つの前記焦点距離と一つの前記撮影範囲との一つの組み合わせに対応する配光画角を複数有し、その複数の配光画角の中から１つの配光画角を選択可能であること、を特徴とする。【選択図】図２
2010002884.tif 000002
【特許請求の範囲】
【請求項１】
撮影レンズの焦点距離と、撮影面上での撮影範囲とに対応して、配光画角が決定される電子閃光装置であって、
一つの前記焦点距離と一つの前記撮影範囲との一つの組み合わせに対応する配光画角を複数有し、その複数の配光画角の中から１つの配光画角を選択可能であること、
を特徴とする配光画角可変の電子閃光装置。
【請求項２】
請求項１に記載の電子閃光装置であって、
カメラに備えられている複数の撮影モードの中から１つの撮影モードが選択されると、
その選択された撮影モードに応じて、前記複数の配光画角の中から１つの配光画角が自動的に選択されること、
を特徴とする電子閃光装置。
【請求項３】
請求項１に記載の電子閃光装置であって、
カメラに備えられている複数の測光方法の中から１つの測光方法が選択されると、
その選択された測光方法に応じて、前記複数の配光画角の中から１つの配光画角が自動的に選択されること、
を特徴とする電子閃光装置。
【請求項４】
請求項１に記載の電子閃光装置であって、
カメラに備えられている複数の測距方法の中から１つの測距方法が選択されると、
その選択された測距方法に応じて、前記複数の配光画角の中から１つの配光画角が自動的に選択されること、
を特徴とする電子閃光装置。
【請求項５】
請求項１に記載の電子閃光装置であって、
被写体が占める画角内の領域の状態に応じて、前記複数の配光画角の中から１つの配光画角が自動的に選択されること、
を特徴とする電子閃光装置。
【請求項６】
請求項１に記載の電子閃光装置であって、
前記配光画角の選択は、カメラが撮影する撮影シーンに応じて、自動的に行われること、
を特徴とする電子閃光装置。
【請求項７】
請求項６に記載の電子閃光装置であって、
前記配光画角の選択は、前記撮影シーンにおける被写体画像中の人物の顔を検出する顔認識に基づいて行われること、
を特徴とする電子閃光装置。
【請求項８】
請求項７に記載の電子閃光装置であって、
前記顔認識は、被写体の顔の位置、数、大きさの認識を含み、前記配光画角の選択は、それらのうちの少なくとも一つに基づいて行われること、
を特徴とする電子閃光装置。
【請求項９】
請求項１〜８のいずれか１項に記載の電子閃光装置であって、
前記配光画角の選択は、撮影シーンにおける被写体に対して行われた予備発光の反射光の状態を参照して行われること、
を特徴とする電子閃光装置。
【請求項１０】
請求項１に記載の電子閃光装置であって、
前記配光画角は、該電子閃光装置が装着されるカメラの種類に応じて、前記複数の配光画角の中から１つの配光画角が自動的に選択されること、
を特徴とする電子閃光装置。
【請求項１１】
請求項１〜１０のいずれか１項に記載の電子閃光装置であって、
前記配光画角は、３以上の配光画角の中から１の配光画角を設定可能であることを特徴とする電子閃光装置。
【請求項１２】
請求項１〜１１のいずれか１項に記載の電子閃光装置であって、
前記選択された配光状態を識別可能に表示する表示部を備えること、
を特徴とする電子閃光装置。
【請求項１３】
閃光装置本体と、閃光を発光する発光体と、
前記発光体を撮影レンズの焦点距離と撮影面上での撮影範囲とに対応して前記閃光装置本体の内部において前記閃光の光軸方向に移動させる駆動機構と、を備え、
前記発光体の前記閃光装置本体内部における前記１つの焦点距離と前記１つの撮影範囲との１つの組み合わせに対応した位置として、択一的に選択可能な複数の位置を備え、その複数の位置の中から１つの位置を選択可能であること、
を特徴とする電子閃光装置。
【請求項１４】
請求項１〜１３のいずれか１項記載の電子閃光装置を備えたカメラ。
【発明の詳細な説明】
【技術分野】
【０００１】
本発明は、電子閃光装置及びそれを備えたカメラに関するものである。
【背景技術】
【０００２】
従来、撮影レンズの焦点距離に対応させて自動的にその照射角を変更することができる電子閃光装置が存在する（例えば、特許文献１参照）。また、撮影レンズの焦点距離だけではなく、プリント時におけるトリミング範囲のアスペクト比をも考慮して、自動的にその照射角を変更することができるカメラも知られている（例えば特許文献２参照）。
【先行技術文献】
【特許文献】
【０００３】
【特許文献１】特開２０００−２０６５９８号公報
【特許文献２】特許第２９６７９６３号公報
【発明の概要】
【発明が解決しようとする課題】
【０００４】
しかし、デジタルカメラにおいては、撮像素子のラチチュードがフィルムに比べて狭い。このため、画面周辺部の光量落ちの影響がフィルムカメラに比べて顕著に出やすいという問題がある。この光量落ちの影響を出にくくするために、撮影者によっては、撮影画角を上回るように、電子閃光装置の配光画角を意図的に手動調整する場合がある。具体的には、例えば、撮影レンズの焦点距離が３５ｍｍであるとき、電子閃光装置における対応画角を２８ｍｍに設定して配光画角を意図的に広げ、撮影画像の周辺光量落ちを防止している。
しかし、電子閃光装置の配光画角を手動調整することは、電子閃光装置の操作に熟練したものでなければ、閃光装置の配光画角をどの程度まで調整したらよいのかといった判断は困難である。
また、撮影レンズの焦点距離に対応させて自動的に照射角を変更しても、撮影シーンによっては適切な照射角の範囲が異なる場合がある。
【０００５】
本発明の課題は、配光画角の調整をより適切に行うことができる閃光装置及びそれを備えたカメラを提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、撮影レンズ（４０）の焦点距離と、撮影面上での撮影範囲とに対応して、配光画角が決定される電子閃光装置（１０）であって、一つの前記焦点距離と一つの前記撮影範囲との一つの組み合わせに対応する配光画角を複数有し、その複数の配光画角の中から１つの配光画角を選択可能であること、を特徴とする配光画角可変の電子閃光装置（１０）である。
請求項２に記載の発明は、請求項１に記載の電子閃光装置（１０）であって、カメラ（３０）に備えられている複数の撮影モードの中から１つの撮影モードが選択されると、その選択された撮影モードに応じて、前記複数の配光画角の中から１つの配光画角が自動的に選択されること、を特徴とする電子閃光装置（１０）である。
請求項３に記載の発明は、請求項１に記載の電子閃光装置（１０）であって、カメラ（３０）に備えられている複数の測光方法の中から１つの測光方法が選択されると、その選択された測光方法に応じて、前記複数の配光画角の中から１つの配光画角が自動的に選択されること、を特徴とする電子閃光装置（１０）である。
請求項４に記載の発明は、請求項１に記載の電子閃光装置（１０）であって、カメラ（３０）に備えられている複数の測距方法の中から１つの測距方法が選択されると、その選択された測距方法に応じて、前記複数の配光画角の中から１つの配光画角が自動的に選択されること、を特徴とする電子閃光装置（１０）である。
請求項５に記載の発明は、請求項１に記載の電子閃光装置（１０）であって、被写体が占める画角内の領域の状態に応じて、前記複数の配光画角の中から１つの配光画角が自動的に選択されること、を特徴とする電子閃光装置（１０）である。
請求項６に記載の発明は、請求項１に記載の電子閃光装置（１０）であって、前記配光画角の選択は、カメラ（３０）が撮影する撮影シーンに応じて、自動的に行われること、を特徴とする電子閃光装置（１０）である。
請求項７に記載の発明は、請求項６に記載の電子閃光装置（１０）であって、前記配光画角の選択は、前記撮影シーンにおける被写体画像中の人物の顔を検出する顔認識に基づいて行われること、を特徴とする電子閃光装置（１０）である。
請求項８に記載の発明は、請求項７に記載の電子閃光装置（１０）であって、前記顔認識は、被写体の顔の位置、数、大きさの認識を含み、前記配光画角の選択は、それらのうちの少なくとも一つに基づいて行われること、を特徴とする電子閃光装置（１０）である。
請求項９に記載の発明は、請求項１〜８のいずれか１項に記載の電子閃光装置（１０）であって、前記配光画角の選択は、撮影シーンにおける被写体に対して行われた予備発光の反射光の状態を参照して行われること、を特徴とする電子閃光装置（１０）である。
請求項１０に記載の発明は、請求項１に記載の電子閃光装置（１０）であって、前記配光画角は、該電子閃光装置（１０）が装着されるカメラ（３０）の種類に応じて、前記複数の配光画角の中から１つの配光画角が自動的に選択されること、を特徴とする電子閃光装置（１０）である。
請求項１１に記載の発明は、請求項１〜１０のいずれか１項に記載の電子閃光装置（１０）であって、前記配光画角は、３以上の配光画角の中から１の配光画角を設定可能であることを特徴とする電子閃光装置（１０）である。
請求項１２に記載の発明は、請求項１〜１１のいずれか１項に記載の電子閃光装置（１０）であって、前記選択された配光状態を識別可能に表示する表示部を備えること、を特徴とする電子閃光装置（１０）である。
請求項１３に記載の発明は、閃光装置本体（１１）と、閃光を発光する発光体（１３）と、前記発光体（１３）を撮影レンズ（４０）の焦点距離と撮影面上での撮影範囲とに対応して前記閃光装置本体（１１）の内部において前記閃光の光軸方向に移動させる駆動機構と、を備え、前記発光体（１３）の前記閃光装置本体（１１）内部における前記１つの焦点距離と前記１つの撮影範囲との１つの組み合わせに対応した位置として、択一的に選択可能な複数の位置を備え、その複数の位置の中から１つの位置を選択可能であること、を特徴とする電子閃光装置（１０）である。
請求項１４に記載の発明は、請求項１〜１３のいずれか１項記載の電子閃光装置（１０）を備えたカメラ（３０）である。
なお、符号を付して説明した構成は、適宜改良してもよく、また、少なくとも一部を他の構成物に代替してもよい。
【発明の効果】
【０００８】
本発明によれば、配光画角の調整をより適切に行うことができる閃光装置及びそれを備えたカメラを提供することができる。
【図面の簡単な説明】
【０００９】
【図１】本発明の第１実施形態の閃光装置の概略図である。
【図２】閃光装置と、カメラと、カメラに装着された撮影レンズとを示したブロック図である。
【図３】閃光装置における発光部を含む部分の拡大図である。
【図４】表示部を示した図であり、図４（ａ）は広配光位置が選択された場合、図４（ｂ）は狭配光位置が選択された場合を示す。
【図５】図３の位置Ｐにおける光量−１ＥＶの光の輪郭を示した図である。
【図６】位置Ｐにおける光量分布を示したグラフである。
【図７】制御部の制御を示すフローチャートである。
【図８】撮影シーンの例を示した図である。
【図９】第２実施形態の制御を示すフローチャートである。
【図１０】実施形態の閃光装置を内蔵したカメラのブロック図である。
【発明を実施するための形態】
【００１０】
（第１実施形態）
以下、図面等を参照して、本発明の第１実施形態について説明する。図１は閃光装置１０の概略図である。本実施形態で閃光装置１０は、撮像素子を備えたデジタルカメラ３０（図２に図示）に装着される閃光装置１０であるが、本発明はこれに限定されず、カメラに内蔵されている閃光装置であってもよい。またこの閃光装置１０はデジタルカメラ３０だけでなく、フィルムカメラに装着して使用することも可能である。また、以下の図において、閃光装置１０の発光方向（光軸方向）をＺプラス方向、電子閃光装置１０を装着した状態でカメラ３０を正位置に保持した場合に上を向く方向をＹプラス方向、Ｚ軸及びＹ軸に直交する方向をＸ方向とする。
【００１１】
図１に示すように閃光装置１０は、閃光部１１と、制御部１２とを備える。閃光部１１は、閃光を発する発光部１３と、発光部１３の前方に設けられたフレネルレンズ１４と、発光部１３を保持する保持台１５と、発光部１３及び保持台１５をＺ軸に沿って移動させる直動機構１６と、発光部１３に発光用の電力を供給するコンデンサ１７とを備える。
【００１２】
発光部１３は、長手方向がＸ軸に沿うように配置されたリフレクタ２０と、リフレクタ２０の内部においてリフレクタ２０と同様に長手方向がＸ軸に沿うようにして配置されたキセノン管２１とを備える。
【００１３】
リフレクタ２０は、キセノン管２１の閃光を、Ｚプラス方向に反射させる反射部であり、Ｚプラス方向に矩形の開口部を形成するように板部材を湾曲させて形成された部材である。リフレクタ２０はキセノン管２１の発熱に耐えるために耐熱性の部材、例えばアルミニウム等の金属製であり、その金属板材を、プレス成形等して作製される。
【００１４】
キセノン管２１は、長手方向がＸ軸に沿うように延びる長い棒状部材である。キセノン管２１は、コンデンサ１７の電気を放電することにより発光するキセノン放電発光管であり、放電時には、数百Ｖ以上の電圧が印加される。
【００１５】
フレネルレンズ１４は、発光部１３に対する反対側の面（閃光の出射側であるＺプラス側の面）に、同心円状の複数のフレネル溝１４ａが設けられている。
【００１６】
直動機構１６は、閃光部１１内において、発光部１３が保持された保持台１５をＺ軸方向に移動する機構である。直動機構１６は、フレネルレンズ１４と発光部１３との間のＺ軸方向の距離を変えることにより、閃光の照射画角を変更させるものであり、モータ等により駆動される。
【００１７】
図２は閃光装置１０と、カメラ３０と、カメラ３０に装着された撮影レンズ４０とを示したブロック図である。このカメラ（デジタルカメラ）３０は、フルサイズの撮像素子を備えており、この撮像素子の撮像面上での撮像範囲はクロップ処理により、フルサイズ（２４×３６ｍｍ）以外にも複数の撮像範囲（ＤＸサイズ２３．６×１５．８ｍｍ、アスペクト比５：４サイズ３０×２４ｍｍ）に切り換え（選択）可能である。閃光装置１０は、カメラ３０に装着されると、閃光装置１０及びカメラ３０のそれぞれの端子部が互いに接続され、カメラ３０の制御と閃光装置１０の制御との連動が可能となる。この連動により、カメラ３０の撮像素子の撮像範囲（撮像面上での撮像範囲（換言すればアスペクト比））に関する情報は、カメラ３０のカメラ制御部３１から閃光装置１０の制御部１２に伝達される。また、撮影レンズ４０がカメラ３０に装着されると、撮影レンズ４０とカメラ３０のそれぞれの端子部が互いに接続され、撮影レンズ４０の制御とカメラ３０の制御との連動が可能となる。この連動により、撮影レンズ４０のズーム位置に関する情報は、撮影レンズ４０からカメラ３０のカメラ制御部３１に伝達され、さらに閃光装置１０の制御部１２に伝達される。制御部１２は、伝達された撮像レンズ４０のズーム位置（焦点距離）情報と撮像素子の撮像範囲情報とに応じて直動機構１６により、発光部１３が保持された保持台１５をＺ軸方向に移動させる（図２では、Ａ〜Ｂ〜Ｃに移動可能）。この移動により、撮影レンズ４０のズーム位置（焦点距離）に応じて発光部１３の配光画角が調整される。
【００１８】
発光部１３はさらに、直動機構１６により移動される保持台１５上においても、モータ等の駆動機構を介して複数の位置を取ることができる。本実施形態では、保持台１５の中に、発光部１３を保持台１５上で駆動させる駆動機構を設けている。図３は閃光装置１０における発光部１３を含む部分の拡大図である。図示するように発光部１３は、直動機構１６上の位置Ａにある保持台１５上で、図中実線で示す基準配光位置Ａ０と、基準配光位置Ａ０よりもフレネルレンズ１４よりの方向であるＺプラス方向に移動した一点鎖線で示す広配光位置Ａ＋と、基準配光位置Ａ０よりもフレネルレンズ１４から離れる方向であるＺマイナス方向に移動した二点鎖線で示す狭配光位置Ａ−とのうちのいずれかの位置を取ることができる。
【００１９】
図１に示すように閃光装置１０の背面には、入力部（操作部材）２３及び液晶等の表示部２４が設けられており、この入力部２３より、発光部１３の上述の基準配光位置Ａ０、広配光位置Ａ＋、狭配光位置Ａ−のうちのいずれかの位置を使用者が任意に選択することができるようになっている。なお、閃光装置１０の出荷時のデフォルト位置は、基準配光位置Ａ０であるが、一旦変更すると、次に動作させる際に、その変更された位置がデフォルト位置となる。また、閃光装置１０の後述のマニュアル操作時（非Ａｕｔｏ時）においては、この入力部２３より、直動機構１６上の保持台１５上の位置を入力（設定）することができるようになっている。
【００２０】
図４は表示部２４を示した図であり、図４（ａ）は広配光位置Ａ＋が選択された場合、図４（ｂ）は狭配光位置Ａ−が選択された場合を示す。図４（ａ）に示すように、広配光位置Ａ＋が選択されると、表示部２４には、配光画角が広がったこと示す表示２４ａが点灯する。また、図４（ｂ）に示すように、狭配光位置Ａ−が選択されると、表示部２４には、配光画角が狭まったこと示す表示２４ｂが点灯する。なお、基準配光位置Ａ０の場合は、誤解が生じることがないように、図４（Ｃ）に示すように表示部２４には配光画角に関する情報は表示されない。
【００２１】
図３に、発光部１３の保持台１５が直動機構１６上の位置Ａに保持された状態における、発光部１３が広配光位置Ａ＋、基準配光位置Ａ０及び狭配光位置Ａ−の場合の、フレネルレンズ１４から被写体へ進む光の広がりを示す。図中、発光部１３が位置Ａ＋の広配光位置にある場合における光を一点鎖線で示し、発光部１３が位置Ａ０の基準配光位置にある場合における光を破線で示し、発光部１３が位置Ａ＋の狭配光位置にある場合における光を二点鎖線で示す。なお、ここで示す光線は、Ｚ方向の光の中心（光軸Ｃ）の光量に対して半減した−１ＥＶの光量を有する光が進む線である。
【００２２】
図５は、図３の位置Ｐにおける光量−１ＥＶの光の輪郭を示した図である。図３及び図５のＱは、カメラ３０の撮影画角の外郭である。図５（ａ）は発光部１３が広配光位置Ａ＋にある場合、図５（ｂ）は発光部１３が基準配光位置Ａ０にある場合、（ｃ）は発光部１３が狭配光位置Ａ−にある場合である。また、図６は、位置Ｐにおける光量分布を示したグラフであり、光軸Ｃからの撮影画角を横軸、光量を縦軸として示す。
【００２３】
図３及び図６の線ａ（一点鎖線）、図５（ａ）に示すように、広配光位置Ａ＋を選択すると、−１ＥＶの光で作られる輪郭は、撮影画角の外郭Ｑより外側まで広がる。このため、撮影画角内は全領域において−１ＥＶ以上の明るさが確保され、撮影画像の対角周辺において光量が−１ＥＶ以下に低下することがない。
【００２４】
図３及び図６の線ｂ（破線）及び図５（ｂ）に示すように、基準配光位置Ａ０の場合、−１ＥＶの光で作られる輪郭は、撮影画角内にちょうど収まる大きさとなる。この場合、撮影画像の対角周辺（四隅領域）において光量が−１ＥＶ以下に低下する部分が生じる。この場合、特に、デジタルカメラ３０においてはラチチュードが狭いため、撮影画角内の周辺（四隅）が若干暗い写真になる。
【００２５】
図３及び図６の線ｃ（二点鎖線）及び図５（ｃ）に示すように、狭配光位置Ａ−の場合、−１ＥＶの光で作られる輪郭は、撮影画角の縁よりも内側にくる。この場合、撮影画像の周辺部全域が所定範囲にわたって光量が−１ＥＶ以下に低下する部分が生じる。この場合は、基準配光位置の場合よりもさらに周囲が暗くなるが、撮影画面内の中央領域のみ特に明るくしたい撮影シーンなどに適する。また、より高いガイドナンバーを実現可能である。さらに、周辺光量が落ちることにより、より立体的に見えるため、例えばポートレート等、撮影画像を立体的にしたい場合に好適である。
【００２６】
次に、図１の閃光装置１０の動作を説明する。まず、閃光装置１０をカメラ３０に装着し、閃光装置１０のスイッチをオンにすると、制御部１２からの信号によりコンデンサ１７の充電が開始されるとともに、背面の表示部２４にメニュー画面が表示される。
【００２７】
図７は、本実施形態による、撮影レンズの焦点距離毎に設けられた３つの配光画角から１つの配光画角を選択可能なズーム制御モードが選択された場合における、制御部１２の制御を示すフローチャートである。
メニュー画面において、ズーム制御モードが選択されると（ステップ１、以下ステップはＳと略す）、制御部１２は、撮影レンズの焦点距離情報の入力が自動的に行われるＡｕｔｏモードに設定するか、あるいは使用者が自ら入力する非オートモードに設定するかを選択する画面を表示部２４に表示させる（Ｓ２）。
使用者によりＡｕｔｏモードが選択されると（Ｓ２，ＹＥＳ）制御部１２は、配光モードを選択する画面を表示部２４に表示させて、使用者による配光モードの入力を持つ（Ｓ３）。配光モードとは、発光部１３を、上述した広配光位置Ａ＋に移動させる広配光モード、基準配光位置Ａ０にする基準配光モード及び狭配光位置Ａ−にする狭配光モードの３つのモードである。
使用者により入力部２３が操作されていずれかの配光モードが選択され、カメラ３０のレリーズボタン（図示せず）が押圧されると、撮影レンズ４０の焦点距離情報が閃光装置１０の制御部１２に読み込まれる（Ｓ４）。
【００２８】
一方、非Ａｕｔｏモードが選択されると（Ｓ２，ＮＯ）、制御部１２は、撮影レンズ４０の焦点距離を入力する画面を表示部に表示させて、使用者による焦点距離情報の入力を待つ（Ｓ７）。撮影レンズ４０の焦点距離が撮影者の入力部２３の操作によりマニュアル入力されると制御部１２は、配光モードを選択する画面を表示部２４に表示させる（Ｓ８）。Ｓ８の動作は前述のＳ３における動作と同じである。
【００２９】
続く、Ｓ５では、Ｓ３またはＳ８で選択された配光モードを表示部２４に表示させる（Ｓ５）。
次に制御部１２は、Ｓ３及びＳ８において発光部１３の保持台１５に対する位置が既述した広配光位置＋、基準配光位置０、狭配光位置−のいずれの位置に選択されたかを判断する（Ｓ６）。
次にＳ９において、Ｓ６での判断に応じて、発光部１３の保持台１５に対する位置を、保持台１５の中の駆動機構を用いて広配光位置＋、基準配光位置０、狭配光位置−のうちの選択された位置に移動させる。それと共に、上述のＳ４又はＳ７で得られた撮影レンズの焦点距離に基づいて、保持台１５のＺ方向における位置を直動機構１６を用いて調整（駆動）する。
【００３０】
たとえば、Ｓ２においてＡｕｔｏが選択され、Ｓ３及びＳ４のルートを経て発光部１３が駆動された場合において撮影レンズの焦点距離が広角側、例えばレンズ焦点距離［２４ｍｍ］では、図２に示すように保持台１５は直動機構１６に対して位置Ａに移動する。且つ、広配光が選択されている場合には発光部１３は広配光位置Ａ＋に、基準配光が選択されている場合には発光部１３は基準配光位置Ａ０に、狭配光が選択されている場合には発光部１３は狭配光位置Ａ−に、移動する。
【００３１】
一方、撮影レンズの焦点距離が中程度、例えばレンズ焦点距離［５０ｍｍ］の場合、図２に示すように保持台１５は直動機構１６に対して位置Ｂに移動する。且つ、広配光が選択されている場合には発光部１３は広配光位置Ｂ＋に、基準配光０の場合には発光部１３は基準配光位置Ｂ０に、狭配光−が選択されている場合には発光部１３は狭配光位置Ｂ−に、移動する。
【００３２】
一方、撮影レンズの焦点距離が望遠側、例えばレンズ焦点距離［１０５ｍｍ］の場合、図２に示すように保持台１５は直動機構１６に対して位置Ｃに移動する。且つ、広配光が選択されている場合には発光部１３は広配光位置Ｃ＋に、基準配光が選択されている場合には発光部１３は基準配光位置Ｃ０に、狭配光が選択されている場合には発光部１３は狭配光位置Ｃ−に、移動する。
【００３３】
以上、本実施形態によると、以下の効果を有する。
（１）発光部１３は、撮影レンズ４０の焦点距離情報に応じて駆動されるとともに、その焦点距離に応じた位置の中でも、さらに広配光モード、基準配光モード、狭配光モードのうちのいずれかのモードを選択することができる。そして、広配光モードが選択された場合、撮影画角内は−１ＥＶ以上の明るさが確保され、全体的に明るい画像を得ることができる。また、狭配光モードが選択された場合、標準よりもさらに周囲が暗くなるが、中央のみ明るくしたい場合などに好適である。さらに、狭配光モードが選択された場合には、広配光モードや基準配光モードに比してより高いガイドナンバーを実現可能であり、周辺光量が低いことにより、より立体的に見えるため、例えばポートレート等、撮影画像を立体的にしたい場合にも好適である。
【００３４】
（２）閃光装置１０を使用する場合、配光モードは前回設定したモードに設定されているため、撮影者が一度嗜好に応じて配光モードを設定した場合、次回からは設定する必要がない。
【００３５】
（３）広配光位置Ａ＋が選択されると、表示部２４には、配光画角が広がったこと示す表示２４ａが点灯され、狭配光位置Ａ−が選択されると、表示部２４には、配光画角が狭まったこと示す表示２４ｂが点灯される。したがって、現在どの配光モードが選択されているかを確認することができる。また、基準配光位置Ａ０の場合は、特に配光モードの変更を必要としていないと考えられる。本実施形態では、この場合、表示部２４には配光画角に関する表示はなされないため、無駄な注意が喚起されることがない。
（４）Ａｕｔｏモードを選択しない場合は、手動で発光部１３の位置を任意の位置に変更できるため、熟練者等は好みに応じてより自由に発光部１３の位置を変更する余地が確保される。
【００３６】
（第２実施形態）
次に、本発明の第２実施形態について説明する。第２実施形態における閃光装置の構成は第１実施形態と同様であるので、第１実施形態と同様の符号を用い、同様な部分の説明は省略する。
【００３７】
第２実施形態と第１実施形態とは、図２において位置Ａ，Ｂ，Ｃで示すように、保持台１５の直動機構１６に対する位置が撮影レンズ４０の焦点距離情報により決定される点で同様である。また、保持台１５上において、さらに発光部１３を移動させて広配光モード、基準配光モード、狭配光モードが選択可能な点で同様である。
【００３８】
第２実施形態が第１実施形態と異なる点は、焦点距離情報に応じて移動された保持台１５の位置(例えば位置Ａ，Ｂ，Ｃ）における広配光モード、基準配光モード、狭配光モードのいずれか一つが、撮影者の選択ではなく、撮影シーンに応じて自動的に選択される点である。
【００３９】
ここで、撮影シーンとは、集合写真のシーンやポートレートのシーン等の撮影時に置ける被写体の状況である。この撮影シーンは、撮影レンズの焦点距離情報、撮像される画像に対する画像解析の結果、例えば、撮影前のスルー画（ライブビュー画像）を画像解析（顔認識）して得られた顔の数、大きさ、位置等の画像解析結果（顔認識結果）、閃光装置のモニタ発光の戻り光（被写体からの反射光）、撮影レンズの撮影距離情報等の被写体情報のうちの一つから、又はそれらのうちのいくつかの組み合わせにより判断される。
【００４０】
本実施形態において、撮影シーンの判断基準の１つである焦点距離情報は、上述したように図２における保持台１５を位置Ａ，Ｂ，Ｃに移動するといった、発光部１３の大まかな移動に用いられる。
そして、撮影シーンの他の判断基準である顔認識結果が、それぞれの保持台１５の位置Ａ，Ｂ，Ｃにおける発光部１３の位置に対応する広配光モード、基準配光モード、狭配光モードのいずれか一つを選択するために用いられる。
さらに、閃光装置１０のモニタ発光（予備発光）の戻り光（被写体反射光）は、顔認識結果に基づく配光モードの選択の精度向上に用いられる。
【００４１】
具体的に説明すると、撮影レンズ４０の焦点距離により保持台１５の位置が決定される。
例えば、撮影レンズ４０の焦点距離が広角側、例えばレンズ焦点距離［２４ｍｍ］では、集合写真や、部屋の撮影あるいは風景等の撮影シーンである可能性が高い。従って、撮影画角の全域に光を照射することが好ましいため、図２に示すように保持台１５は広角撮影に適した位置Ａに移動する。
一方、撮影レンズの焦点距離が中（標準）程度、例えばレンズ焦点距離［５０ｍｍ］の場合、図２に示すように保持台１５は標準焦点距離での撮影に適した位置Ｂに移動する。
また、撮影レンズの焦点距離が望遠側、例えばレンズ焦点距離［１０５ｍｍ］の場合、ポートレートや、被写体の一部を切り取るようなクローズアップ等の撮影シーンが予想される。この場合、画面の中央に光が照査されることが好ましいため、図２に示すように保持台１５は望遠撮影に適した位置Ｃに移動する。
【００４２】
そして、撮影シーンの判断基準である顔認識結果が、保持台１５の各位置Ａ，Ｂ，Ｃにおける広配光モード、基準配光モード、狭配光モードのいずれか一つを選択するために用いられる。
ここで顔認識とは、上述のように撮影画角内において撮像されている画像内の顔の数、大きさ、位置等を画像解析によって認識するものである。顔認識された顔の数が多く、それらの顔の位置が画面全体にわたっている場合は、例えば図８（ａ）に示すような集合写真が想定される。このようなシーンでは、撮影画角の全域に光を照射することが好ましいため、配光モードとして広配光モードが選択される（例えば、図２においてはＡ＋）。
また、顔認識された顔の数が１〜２つであり、画面中央に位置する場合は、例えば図８（ｂ）に示すようなポートレート撮影が想定される。この場合、画面の中央に光が照査されることが好ましいため、配光モードとして狭配光モードが選択される（例えば、図２においてＡ−）。
なお、顔認識においては顔の数や位置だけでなく、顔の大きさによっても、撮影シーンを推測することが可能であり、この推測結果に応じて配光モードを選択することもできる。
【００４３】
さらに、閃光装置のモニタ発光の戻り光が、顔認識結果による配光モードの選択の精度向上に用いられる。
例えば、画面内を何等分かに分割しておき、万遍なく戻り量がある時には四隅の背景が近いことが伺い知れる。この場合、撮影画角の全域に光を照射することが好ましいため、配光モードとして広配光モードが好ましい（例えば、図２においてＡ＋）。
一方、モニタ発光の被写体からの戻り量が中央部分に集中している場合には四隅は抜けていると判断できる。この場合、画面の中央に光が照査されることが好ましいため、配光モードとして狭配光モードが好ましい（例えば、図２においてＡ−）。
【００４４】
本実施形態でモニタ発光の戻り光は、顔認識結果に対して補助的に適宜利用される。
例えば、図８（ｂ）に示す場合、顔認識システムによって顔は１つと判断され、中央の人物撮影に主眼が置かれていると推測される。そして、この図８（ｂ）の場合、背景被写体は非常に遠い位置にあるためモニタ発光による四隅からの戻り光量も少なく、中央に主眼が置かれているという推測がより確実になる。この場合、モニタ発光の戻り光の情報と顔認識結果とが一致し、中央部重点配光が行われる狭配光モードが選択される。これによってより大きなガイドナンバーを得ることが出来る。
【００４５】
また、顔認識システムによって画面内の顔は画面中央に１つと判断され、中央の人物撮影に主眼が置かれていると推測される場合であっても、上述したようにモニタ発光の戻り光が万遍なく届く場合には四隅の背景被写体が中央の人物に対して距離的に近いと考えられる。この場合、撮影画角の全域に光を照射する広配光モードを選択する（例えば、図２においてＡ＋）。
【００４６】
一方、図８（ｃ）に示すように、顔が画面内の端に多くあった場合、或いは端にしか無い場合にはメインの被写体が中央部分に存在しないことが推定される。この様な場合には顔認識システムによって顔は画面の横（端）に複数存在すると判断され、広配光モードが好ましいと判断されるが、図８（ｃ）の場合ではモニタ発光による四隅からの戻り光量は少ないため狭配光モードが好ましいと判断される可能性がある。この場合、本実施形態では顔認識結果が優先され、メインの被写体が端にあると推測し、撮影レンズの焦点距離に依らず均質な配光が行われる広配光モードが選択される。
【００４７】
このように、本実施形態ではモニタ発光の戻り光の結果は適宜参照されるが、これに限定されず、モニタ発光の戻り光の情報を優先することもでき、また、顔認識結果とモニタ発光の戻り光の情報とのどちらを優先するかを撮影者が任意に選択できるようにしてもよい。
【００４８】
次に、第２実施形態による、カメラ制御部３１及び閃光装置１０の制御部１２の制御を説明する。図８は、カメラ制御部３１及び閃光装置１０の制御部１２の制御を示すフローチャートである。
【００４９】
まず、カメラ３０のレリーズボタン（図示せず）が半押しされると、その半押しに連動し、カメラ制御部３１は撮影レンズ４０を駆動し、ＡＦ（オートフォーカス）動作を行なう（Ｓ２１）。
カメラ制御部３１は、撮影レンズ４０の焦点距離情報を収集する（Ｓ２２）とともに、撮影画角内における被写体情報を収集する（Ｓ２３）。
【００５０】
カメラ制御部３１は、収集された被写体情報に基づいて、被写体画像がどのようなシーンであるかを分析する（Ｓ２４）。
分析後、カメラ制御部３１は、撮影レンズ４０の焦点距離情報及びシーン分析結果を閃光装置１０に伝達する（Ｓ２５）。
【００５１】
閃光装置１０の制御部１２は、撮影レンズ４０の焦点距離情報及びシーン分析結果を取得する（Ｓ３１）。
制御部１２は、取得したシーン分析結果をもとに、配光モード（広配光／基準配光／狭配光モードの何れか）を選択する（Ｓ３２）。
制御部１２は、配光モードを表示部２４に表示させる（Ｓ３３）。
次に制御部１２は、いずれの配光モードであるかを判断し（Ｓ３４）、保持台１５を焦点距離に基づいて駆動し、且つ保持台１５上における発光部１３の位置を広配光位置＋、基準配光位置０、狭配光位置−のうちの選択された配光モードに対応した位置に移動させる(Ｓ３５)。
【００５２】
カメラ側制御部３１は、レリーズボタンの全押しを検知すると（Ｓ２６）、閃光装置１０に発光指示を出す（Ｓ２７）。
【００５３】
閃光装置１０側の制御部１０は、カメラ側制御部３１からの発光指示を受信するとモニタ発光を行う。
制御部１０はモニタ発光を行なった際の、被写体からの戻り光の情報を取得する（Ｓ３７）。
この戻り光の情報に基づき、必要に応じて発光部１３の位置（広配光／基準配光／狭配光モードのいずれかのモードに対応した位置）を調整する（Ｓ３８）。
次いで、閃光装置１０は本発光を行い、撮影が終了する。
【００５４】
以上、本実施形態によると、以下の効果を有する。
（１）発光部１３（保持台１５）は、撮影レンズ４０の焦点距離情報に応じて駆動されるとともに、その焦点距離に応じた位置の中でも、撮影シーンに応じて、さらに、広配光モード、基準配光モード、狭配光モードのうちのいずれかのモードが選択される。このため、撮影シーンに応じた適切な配光品質を確保することができる。また、この撮影シーンに応じた配光モードの選択が自動で行われるため、この撮影シーンに応じた適切な配光品質の確保を容易に行うことができる。
【００５５】
（２）撮影レンズの焦点距離に、顔認識情報やモニタ発光による被写体情報が加味されるので、より最適な配光モードを提供することが可能になる。
【００５６】
（変形形態）
以上、説明した実施形態に限定されることなく、以下に示すような種々の変形や変更が可能であり、それらも本発明の範囲内である。
（１）閃光装置１０をカメラ３０に取り付けた場合、カメラの種類によって自動的に配光モードが選択されるようにすることもできる。この場合、例えば、フィルムカメラの場合には基準配光位置０が自動的に選択され、デジタルカメラの場合には、撮像素子のラチチュードがフィルムと比べて狭いため、広位置＋が自動的に選択されるようにする。これを実現する手法としては、閃光装置１０がカメラ３０に取り付けられたときに、お互いの端子部を介して、閃光装置の制御部１２がカメラ３０からカメラの種別情報（フィルムカメラかデジタルカメラか）を取得するようにし、且つ制御部１２が、その種別情報に基づいて、上述のように配光モードを自動的に選択設定するようにすれば良い。
【００５７】
（２）カメラが複数の撮影モードの中から一つを設定可能な場合、その撮影モードの設定に応じて、自動的に配光モードが選択されるようにすることもできる。例えば、スポーツの撮影に適したスポーツ撮影モードが選択された場合、動きが激しく被写体が撮影画角の端部に移動しやすいので、広位置＋が選択されるようにし、風景など比較的遠い位置にある被写体の撮影に適した遠景撮影モードが選択された場合、ガイドナンバー不足になる可能性があるので、狭位置−が選択されるようにする。これを実現する手法としては、カメラ側で撮影モードが設定されると、その撮影モードの情報をカメラから閃光装置の制御部１２へお互いの端子部を介して送信し、且つ制御部１２が、その情報に基づいて上述のように配光モードを自動的に選択設定するようにすれば良い。
【００５８】
（３）カメラが複数の測光モードの中から一つを設定可能な場合、その測光モードに応じて自動的に配光モードが選択されるようにすることもできる。例えば、スポット測光が選択された場合には被写体の範囲が狭い可能性が高いので狭配光位置に、マルチパターン測光が選択された場合には被写体の範囲が広い可能性が高いので広配光位置に、中央部重点測光が選択された場合には被写体の範囲はその中間の基準配光位置に、自動的に配光モードを選択するようにする。
【００５９】
（４）カメラが複数の測距モードの中から一つを設定可能な場合、その測距モードに応じて自動的に配光モードが選択されるようにすることもできる。例えば、ピンポイントＡＦが選択された場合には被写体の移動範囲が狭い可能性が高いので狭配向位置に、エリアＡＦにおいて広いエリアが選択された場合には被写体の移動範囲が広い可能性が高いので広配光位置に、中央部重点測光が選択された場合や、エリアＡＦにおいて中程度のエリアが選択された場合には被写体の範囲はその中間であると推定して基準配光位置に選択するようにする。これを実現する手法としては、上記（１）、（２）で述べたような手法で、カメラ側から測距モード情報を入力した制御部１２がその情報に応じて配光モードを上記のように自動的に選択設定すれば良い。
【００６０】
（５）上記実施形態では、３つの配光モードの中から１つを選択する形態について説明した。しかし、本発明はこれに限定されず、選択可能な配光モードは、２であってもよく、また４以上であってもよい。たとえば図５（ａ）〜（ｃ）で説明したような配光モードだけでなく、図５（ｄ）に示すような配光モードを備えるようにしても良い。
【００６１】
（６）撮影前に、選択された配光により撮影後の写真がどのようになるか観察することができるようにしても良い。閃光装置の充電はある程度の時間が必要であるため、事前に撮影後の状態を例えばファインダ内でチェックすることがきるようにすれば、複数枚撮影しなくとも、適正な配光の写真を撮影することができ、充電が１回でよいので撮影時間の短縮、無駄な電力消費を防止することができる。これを実現するには、スルー画像を表示する表示部例えば（カメラ側の表示部）でのスルー画像の表示の際に、配光モードの切替えに応じて画面内の周辺領域の明るさを、公知の手法（例えば特開平１０−３３３２３５に開示されているような、表示領域によって進過率を変えたり、表示画素そのものの輝度を変えたりする手法）を用いて、変えるようにすれば良い。この場合、具体的には、配光モードが基準配光位置であれば、スルー画像をそのまま表示部に表示し、広配向位置であれば、基準配向位置の場合のスルー画表示に比して、画面内の四隅領域の表示輝度を上げてスルー画表示狭配向位置であれば、基準配向位置の場合のスルー画表示に比して画面内の周囲領域の表示輝度を下げてスルー画表示するように、表示制御する。
【００６２】
（７）上述した、電子閃光装置は、カメラに内蔵されているものでも良い。図１０はレンズ交換式カメラであって上述した電子閃光装置を内蔵したカメラのブロック図である。図２に示したカメラと相違する点は、図２では閃光装置側の制御部１２が存在していたが、図１０のカメラでは、それが無くなり、代わりに、制御部１２が行っていた制御動作を全てカメラ制御部３１が行うようになっている点と、カメラ背面に設けられている表示部２４´が、カメラ側での設定表示及びスルー画表示だけではなく、図２の表示部２４で行っていた表示も行う点と、入力部２３´がカメラ側の情報入力用としての機能だけではなく、図２の入力部２３で行える入力機能も備えている点である。なお、レンズ制御部からレンズ情報（焦点距離情報）を入力するようになっているが、レンズ一体型カメラにすることも可能であり、その場合、このレンズ情報の授受は不要となる。
【符号の説明】
【００６３】
１０：閃光装置、１１：閃光部、１３：発光部、１６：駆動機構、３０：カメラ、４０：撮影レンズ
【図１】
2010002884.tif 000003
【図２】
2010002884.tif 000004
【図３】
2010002884.tif 000005
【図４】
2010002884.tif 000006
【図５】
2010002884.tif 000007
【図６】
2010002884.tif 000008
【図７】
2010002884.tif 000009
【図８】
2010002884.tif 000010
【図９】
2010002884.tif 000011
【図１０】
2010002884.tif 000012